(57)【要約】【課題】  薬液注入路の開閉機能を損なわずに、注入路の長さをその先端が適切な深さで流体輸送用管内に入り込むように調節できるようにする。【解決手段】  管Ｂ内に入り込むように接続可能な薬液注入路２と、薬液供給管１を注入路に連通接続可能な接続路３と、注入路周面の付着物を掻き取り自在な掻き取り具４の移動操作具の挿通路５とを設け、注入路が接続路に連通する第１状態と注入路が挿通路に連通する第２状態とに切換操作自在な切換手段２０を、注入路を設けてある第１ボディ６と、接続路と挿通路とを設けてある第２ボディ８とを、注入路基端部が接続路又は挿通路の先端部に択一的に対向するように相対回転可能で、かつ、対向させた注入路基端部と接続路又は挿通路の先端部とが弾性シール材２２を挟んで連通するように、回転軸芯Ｘ方向に沿って互いに近接するように相対移動させた状態で固定可能に連結して構成してある。【選択図】        図４
2007054712.tif 000002
【特許請求の範囲】
【請求項１】
薬液の注入路を、その先端が管径方向から流体輸送用管内に入り込むように、その流体輸送用管に接続可能に設けるとともに、
薬液の供給管を前記注入路に対して連通接続可能な接続路と、前記注入路内での注入路長手方向に沿う移動でその周面に付着している付着物を掻き取り自在な掻き取り具と、前記掻き取り具を管外側から移動操作自在な操作具の挿通路とを設けてある薬液注入装置であって、
前記注入路が前記接続路に連通する第１状態と、前記注入路が前記挿通路に連通する第２状態とに管外側から択一的に切換操作自在な切換手段を設け、
前記切換手段を構成するに、
前記注入路を設けてある第１ボディと、前記接続路と前記挿通路とを設けてある第２ボディとを、
前記注入路の基端部が前記接続路の先端部又は前記挿通路の先端部に択一的に対向するように同芯状に相対回転可能で、かつ、択一的に対向させた前記注入路の基端部と前記接続路の先端部又は前記挿通路の先端部とが弾性シール材を挟んで連通するように、回転軸芯方向に沿って互いに近接する方向に相対移動させた状態で固定可能に連結して、
前記第１状態と前記第２状態とに択一的に切換操作自在に構成してある薬液注入装置。
【請求項２】
前記第１ボディと前記第２ボディに、前記注入路の基端部に対して前記接続路の先端部又は前記挿通路の先端部が対向し得るように、互いに嵌合自在な嵌合軸部と嵌合筒部とを各別に設け、前記嵌合軸部と前記嵌合筒部との間に弾性Ｏリングを装着してある請求項１記載の薬液注入装置。
【発明の詳細な説明】
【技術分野】
【０００１】
本発明は、薬液の注入路を、その先端が管径方向から流体輸送用管内に入り込むように、その流体輸送用管に接続可能に設けるとともに、薬液の供給管を前記注入路に対して連通接続可能な接続路と、前記注入路内での注入路長手方向に沿う移動でその周面に付着している付着物を掻き取り自在な掻き取り具と、前記掻き取り具を管外側から移動操作自在な操作具の挿通路とを設けてある薬液注入装置に関する。
【背景技術】
【０００２】
上記薬液注入装置は、流体輸送用管内を流れるプールの水や空調用の水，冷却用の水、ボイラー水，海水などの管内流体に、殺菌剤や防蝕剤，脱酸素剤，防藻剤などの薬液を注入するために使用されており、薬液を管内流体に効果的に分散させながら注入できるように、薬液の注入路をその先端が管径方向から流体輸送用管内に入り込むように接続可能に設けるとともに、薬液と管内流体とが反応して生成した生成物が薬液の注入路内に析出してその周面に付着すると薬液の注入に支障が生じるので、それらの付着物を注入路の略全長に亘って除去できるように、注入路内での注入路長手方向に沿う移動でその周面に付着している付着物を掻き取り自在な掻き取り具を設け、注入路を流体輸送用管から取り外すことなく付着物を必要に応じて掻き取ることができるように、掻き取り具を管外側から移動操作自在な操作具の挿通路を設けてある。
従来の上記薬液注入装置は、薬液の供給管と接続路との接続部を保守点検したいような場合に、供給管を接続路から外しても、管内流体の接続路からの漏れ出しを防止できるように、注入路を開閉可能な弁体を掻き取り具に一体形成し、付着物を注入路の略全長に亘って除去できるように、弁体の弁座を注入路の先端近くに形成して、操作具による掻き取り具の移動操作で注入路を開閉自在に設けている（例えば、特許文献１参照）。
【０００３】
【特許文献１】特開２００２−１２６４９１号公報
【発明の開示】
【発明が解決しようとする課題】
【０００４】
このため、注入路の先端側を切除して、注入路の長さを、その先端が流体輸送用管の内径に応じた適切な深さで流体輸送用管内に入り込むように調節すると、注入路の先端近くに形成してある弁座の機能を損なって、注入路を開閉できなくなるおそれがあるので、流体輸送用管の内径ごとに対応する適切な長さの注入路を備えた薬液注入装置を製作しておく必要があり、製作コストが高くなる欠点がある。
本発明は上記実情に鑑みてなされたものであって、注入路の開閉機能を損なうことなく、注入路の長さを、その先端が流体輸送用管の内径に応じた適切な深さで流体輸送用管内に入り込むように調節できるようにすることを目的とする。
【課題を解決するための手段】
【０００５】
本発明の第１特徴構成は、薬液の注入路を、その先端が管径方向から流体輸送用管内に入り込むように、その流体輸送用管に接続可能に設けるとともに、薬液の供給管を前記注入路に対して連通接続可能な接続路と、前記注入路内での注入路長手方向に沿う移動でその周面に付着している付着物を掻き取り自在な掻き取り具と、前記掻き取り具を管外側から移動操作自在な操作具の挿通路とを設けてある薬液注入装置であって、前記注入路が前記接続路に連通する第１状態と、前記注入路が前記挿通路に連通する第２状態とに管外側から択一的に切換操作自在な切換手段を設け、前記切換手段を構成するに、前記注入路を設けてある第１ボディと、前記接続路と前記挿通路とを設けてある第２ボディとを、前記注入路の基端部が前記接続路の先端部又は前記挿通路の先端部に択一的に対向するように同芯状に相対回転可能で、かつ、択一的に対向させた前記注入路の基端部と前記接続路の先端部又は前記挿通路の先端部とが弾性シール材を挟んで連通するように、回転軸芯方向に沿って互いに近接する方向に相対移動させた状態で固定可能に連結して、前記第１状態と前記第２状態とに択一的に切換操作自在に構成してある点にある。
【０００６】
〔作用及び効果〕
注入路が接続路に連通する第１状態と、注入路が挿通路に連通する第２状態とに管外側から択一的に切換操作自在な切換手段を設けてあるので、注入路の開閉機能を損なうことなく、注入路の先端側を切除して、注入路の長さを、その先端が流体輸送用管の内径に応じた適切な深さで流体輸送用管内に入り込むように調節できる。
その上、第１状態と第２状態とに切換操作自在な切換手段を設けるにあたって、注入路を設けてある第１ボディと、接続路と挿通路とを設けてある第２ボディとを、注入路の基端部が接続路の先端部又は挿通路の先端部に択一的に対向するように同芯状に相対回転可能で、かつ、択一的に対向させた注入路の基端部と接続路の先端部又は挿通路の先端部とが弾性シール材を挟んで連通するように、回転軸芯方向に沿って互いに近接する方向に相対移動させた状態で固定可能に連結して、第１状態と第２状態とに択一的に切換操作自在な切換手段を構成してあるので、第１ボディと第２ボディの加工に特に高い精度を要することなく、第１状態に切り換えた状態においても、第２状態に切り換えた状態においても、注入路の基端部と接続路の先端部又は挿通路の先端部との接続部におけるシール性を容易に確保し易い。
つまり、図９，図１０に示す第１比較例のように、回転操作式の円柱状弁体３０を管外側から回転操作自在に装着する弁体装着孔３１の内周面に、注入路２と接続路３と挿通路５とを開口させるとともに、注入路２と接続路３とを連通可能な第１連通路３２と、注入路２と挿通路５とを連通可能な第２連通路３３とを弁体３０に形成して、弁体３０の回転操作で、第１状態と第２状態とに切換操作自在な切換手段を構成してある場合は、注入路２の基端部と接続路３の先端部又は挿通路５の先端部との接続部におけるシール性を確保するために、弁体３０を、その回転軸芯が偏芯しないように弾性シール材３４で挟んで、弁体装着孔３１内で回転移動させる必要があるので、弁体３０と弁体装着孔３１の内周面とのクリアランスを適正に確保できるように精度良く加工しなければ、シール性を確保し難い欠点がある。
また、図１１に示す第２比較例のように、軸状弁体４０を管外側から軸方向に移動操作自在に嵌合する嵌合孔４１の内周面に、注入路２と接続路３と挿通路５とを開口させるとともに、注入路２と接続路３とを連通可能な第１連通路３２と、注入路２と挿通路５とを同芯状に連通可能な第２連通路３３とを軸状弁体４０に形成して、軸状弁体４０の移動操作で、第１状態と第２状態とに切換操作自在な切換手段を構成してある場合も、注入路２の基端部と接続路３の先端部又は挿通路５の先端部との接続部におけるシール性を確保するために、軸状弁体４０を、弾性シール材３４を挟んで、嵌合孔４１内で往復移動させる必要があるので、軸状弁体４０と嵌合孔４１の内周面とのクリアランスを適正に確保できるように精度良く加工しなければ、シール性を確保し難い欠点がある。
上記に対して、図２〜図４に例示するように、第１ボディ６と第２ボディ８とを相対回転させて、注入路２の基端部を接続路３の先端部又は挿通路５の先端部に択一的に対向させてから、回転軸芯Ｘ方向に沿って互いに近接する方向に相対移動させた状態で固定して、択一的に対向させた注入路２の基端部と接続路３の先端部又は挿通路５の先端部とを弾性シール材２２を挟んで連通させることで、第１ボディ６と第２ボディ８とを弾性シール材２２を挟んで相対回転させることなく、注入路２の基端部と接続路３の先端部又は挿通路５の先端部との接続部におけるシール性を確保することができる。
従って、第１状態と第２状態とに切換操作自在な切換手段を設けるにあたって、第１ボディと第２ボディの加工に特に高い精度を要することなく、第１状態に切り換えた状態においても、第２状態に切り換えた状態においても、注入路の基端部と接続路の先端部又は挿通路の先端部との接続部におけるシール性を容易に確保し易い。
【０００７】
本発明の第２特徴構成は、前記第１ボディと前記第２ボディに、前記注入路の基端部に対して前記接続路の先端部又は前記挿通路の先端部が対向し得るように、互いに嵌合自在な嵌合軸部と嵌合筒部とを各別に設け、前記嵌合軸部と前記嵌合筒部との間に弾性Ｏリングを装着してある点にある。
【０００８】
〔作用及び効果〕
第１ボディと第２ボディに、注入路の基端部に対して接続路の先端部又は挿通路の先端部が対向し得るように、互いに嵌合自在な嵌合軸部と嵌合筒部とを各別に設け、その嵌合軸部と嵌合筒部との間に弾性Ｏリングを装着してあるので、弾性Ｏリングでシールしてある嵌合軸部と嵌合筒部との嵌合部で第１ボディと第２ボディとを相対回転させて、注入路の基端部を接続路の先端部又は挿通路の先端部に択一的に対向させることができ、第１ボディと第２ボディとを相対回転させる際に、薬液や流体輸送用管の管内流体が外部に漏れ出すおそれが少ない。
【発明を実施するための最良の形態】
【０００９】
以下に本発明の実施の形態を図面に基づいて説明する。尚、図面において従来例と同一の符号で表示した部分は、同一又は相当の部分を示している。
【００１０】
図１，図２は、プールの水を濾過装置などに亘って循環させる循環パイプ（流体輸送用管の一例）Ｂに殺菌用の薬液を注入する本発明による薬液注入装置Ａを示し、可撓性を備えた薬液の供給管１を薬液の注入路２に対して連通接続可能な接続路３と、注入路２内での注入路長手方向に沿う移動でその周面に付着している付着物を掻き取り自在な掻き取り部４ａを備えた掻き取り具４と、掻き取り具４を管外側から移動操作自在な棒状の操作具４ｂの挿通路５とを設けてある。
【００１１】
前記注入路２は硬質塩化ビニル樹脂製の第１ボディ６に設けてあり、接続路３と挿通路５は、逆止弁としての機能を備えたチャッキ弁７を接続路３の基端側に連通するように着脱自在にねじ込み固定してある硬質塩化ビニル樹脂製の第２ボディ８に設けてある。
【００１２】
前記第１ボディ６は、注入路２を形成する硬質塩化ビニル樹脂製パイプ９の基端側を硬質塩化ビニル樹脂製ニップル１０に差し込んで接着剤などで一体に固定すると共に、ニップル１０の一方の雄ねじ部を硬質塩化ビニル樹脂製ハウジング１１に着脱自在にねじ込んで構成してある。
【００１３】
前記パイプ９は、その先端側を適宜切除することにより、注入路２の長さを、循環パイプＢの内径に応じて、その先端が管径方向の略中心位置で管内に連通する適切な深さで入り込むように調節できるように構成して、図３〜図５に示すように、ニップル１０の他方の雄ねじ部を循環パイプＢの管壁にねじ込むことにより、注入路２の先端が管径方向から管内に入り込むように、その循環パイプＢに接続可能に設けてある。
【００１４】
前記ハウジング１１は、注入路２の基端部を開口させてある前壁部１２と、その外周部に沿った円筒状の嵌合筒部１３とを一体に備えた有底円筒状に形成してあり、嵌合筒部１３の外周面に連結用の雄ねじ部１４を形成してある。
【００１５】
前記第２ボディ８は、第１ボディ６の嵌合筒部１３に嵌合自在な円柱状の嵌合軸部１５と固定用の環状フランジ１６とを一体に備え、嵌合軸部１５にシール用の弾性Ｏリング１７を嵌め込むとともに、薬液の供給管１をチャッキ弁７に接続することにより注入路２に対して連通接続可能な接続路３と、操作具４ｂの挿通路５とを互いに略平行に設け、掻き取り具４を水密に挿通自在なケーブルグラント１８を挿通路５の後端側に着脱自在に接続してある。
【００１６】
前記第１ボディ６と第２ボディ８は、嵌合筒部１３と嵌合軸部１５とを、弾性Ｏリング１７を挟んで、同芯状に内嵌するとともに、第２ボディ８の外周側に回転自在に保持してある鍔１９ａ付きの袋状ナット部材１９を、環状フランジ１６を挟んで、第１ボディ６に形成してある雄ねじ部１４に締め込むことにより一体に連結可能、かつ、ナット部材１９を緩めることにより回転軸芯Ｘ周りで相対回転可能に連結して、図３に示すように注入路２が接続路３に連通する第１状態と、図４に示すように注入路２が挿通路５に連通する第２状態と、図５に示すように注入路２が接続路３にも挿通路５にも連通しない第３状態とに管外側から択一的に切換操作自在な切換手段２０を設けてある。
【００１７】
つまり、注入路２と接続路３と挿通路５は、回転軸芯Ｘに対して略平行に設けてあり、図６に示すように、注入路２の基端部を回転軸芯Ｘから偏芯した箇所で前壁部１２に開口させるとともに、図７に示すように、接続路３と挿通路５の各々を、それらの先端部が注入路２と同じ偏芯距離Ｌで回転軸芯Ｘから偏芯し、かつ、回転軸芯Ｘを挟んで対向する１８０度の位相差で嵌合軸部１５の先端側に開口するように設けてある。
【００１８】
また、接続路３の先端部と挿通路５の先端部との各々に、嵌合軸部１５の先端面から円筒状に突出する円筒部２１を一体に形成して、各円筒部２１にシール用の弾性Ｏリング２２を装着するとともに、前壁部１２の内側に略円錐台状のテーパ内周面２３を備えた凹面部２４を、注入路２と同じ偏芯距離Ｌで回転軸芯Ｘから偏芯し、かつ、略９０度の位相差で周方向で略等間隔に離れた４箇所に形成し、そのうちの一つの凹面部２４の底部に注入路２の基端部を開口させてある。
【００１９】
前記嵌合軸部１５の環状フランジ１６近くの外周面に、４本（複数本）の円柱状の軸部材２５を略等間隔で放射状に固定するとともに、これらの軸部材２５が各別に嵌まり込む４箇所の切欠き部２６を嵌合筒部１３の端部に略等間隔で形成して、第１状態と第２状態と第３状態のいずれの状態においても、各軸部材２５が切欠き部２６に嵌まり込んで位置決めできるように設けてある。
【００２０】
また、図８に示すように、ナット部材１９を緩めた状態で第１ボディ６に対して第２ボディ８を矢印方向に回転させるに伴って、嵌合軸部１５が嵌合筒部１３から抜け出す方向に移動するように、軸部材２５を案内移動させる傾斜案内面２７を各切欠き部２６に形成してある。
【００２１】
そして、ナット部材１９を緩めることにより注入路２の基端部が接続路３の先端部又は挿通路５の先端部に択一的に対向するように同芯状に相対回転可能に連結するとともに、ナット部材１９を締め込むことにより環状フランジ１６を鍔１９ａで第１ボディ６側に押圧して、択一的に対向させた注入路２の基端部と接続路３の先端部又は挿通路５の先端部とが弾性Ｏリング（弾性シール材）２２を挟んで連通するように、回転軸芯Ｘ方向に沿って互いに近接する方向に相対移動させた状態で固定可能に連結して、図３に示す第１状態と、図４に示す第２状態と、図５に示す第３状態とに択一的に切換操作自在に構成してある。
【００２２】
〔その他の実施形態〕
１．本発明による薬液注入装置は、第１ボディと第２ボディとを回転軸芯に沿って略同芯状に保持するとともに、第１ボディと第２ボディとを互いに近接する方向に付勢する付勢手段を設けて、第１ボディと第２ボディとを付勢力に抗して互いに離間させた状態で、第１ボディと第２ボディとを、注入路の基端部が接続路の先端部又は挿通路の先端部に択一的に対向するように同芯状に相対回転可能に連結してあっても良い。
２．本発明による薬液注入装置は、第１ボディに嵌合軸部を設け、第２ボディに嵌合筒部を設けてあっても良い。
３．本発明による薬液注入装置は、掻き取り具を挿通路に常時装着しておいて、必要に応じて挿通路に挿入した操作具で掻き取り具を移動操作して、付着物を掻き取れるように構成しても良い。
４．本発明による薬液注入装置は、掻き取り具とその操作具を挿通路に常時挿入しておいて、必要に応じてその操作具を操作して付着物を掻き取れるように構成しても良い。
５．本発明による薬液注入装置は、湾曲するように形成した挿通路と注入路とが同芯状に連通する第２状態に切換操作自在な切換手段を設けて、弾性的に撓み変形自在なコイル状の金属製操作具などを使用して、掻き取り具を移動操作自在に設けてあっても良い。
６．本発明による薬液注入装置は、切換手段を第１状態又は第２状態に解除自在に固定可能な固定手段を設けてあっても良い。
７．本発明による薬液注入装置は、注入路の周面に付着した藻や貝類等の付着物を掻き取り具で掻き取るように構成したものであっても良い。
【図面の簡単な説明】
【００２３】
【図１】薬液注入装置の斜視図
【図２】薬液注入装置の分解斜視図
【図３】薬液注入装置の取り付け状態を示す断面図
【図４】薬液注入装置の取り付け状態を示す断面図
【図５】薬液注入装置の取り付け状態を示す断面図
【図６】要部の正面図
【図７】要部の正面図
【図８】要部の側面図
【図９】第１比較例を示す断面図
【図１０】第１比較例を示す断面図
【図１１】第２比較例を示す断面図
【符号の説明】
【００２４】
１    供給管
２    注入路
３    接続路
４    掻き取り具
５    挿通路
６    第１ボディ
８    第２ボディ
１３  嵌合筒部
１５  嵌合軸部
１７  弾性Ｏリング
２０  切換手段
２２  弾性シール材
Ｂ    流体輸送用管
Ｘ    回転軸芯
【図１】
2007054712.tif 000003
【図２】
2007054712.tif 000004
【図３】
2007054712.tif 000005
【図４】
2007054712.tif 000006
【図５】
2007054712.tif 000007
【図６】
2007054712.tif 000008
【図７】
2007054712.tif 000009
【図８】
2007054712.tif 000010
【図９】
2007054712.tif 000011
【図１０】
2007054712.tif 000012
【図１１】
2007054712.tif 000013